(57)【要約】【課題】フィルターの目詰まりを検知し、機器に過負荷がかかることを防止する。【解決手段】ヒートポンプ装置４により加熱された温風を回転ドラム１へ供給する送風ファン１１と、乾燥用空気を吸熱器８から放熱器６へと流して回転ドラムへと導く風路１２と、風路内に配設され衣類等から発生するリントを回収するフィルター１３と、放熱器の管路９を流れる冷媒の温度を検知する温度検知手段１０と、温度検知手段によりフィルターの目詰まり度合いを検出するフィルター目詰まり検出手段１８と、フィルターの目詰まりを報知する報知手段１９と、ヒートポンプ装置等を制御する制御手段１７とを備え、制御手段は、フィルター目詰まり検出手段によりフィルターの目詰まりを検出すると、報知手段によりフィルターの目詰まりを報知するようにしたものである。【選択図】図１
2013085680.tif 000002
【特許請求の範囲】
【請求項１】
衣類等を収容し乾燥させる回転ドラムと、前記回転ドラムを回転駆動するモータと、圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、前記ヒートポンプ装置により加熱された温風を前記回転ドラムへ供給する送風ファンと、前記送風ファンにより送風される乾燥用空気を前記吸熱器から前記放熱器へと流して前記回転ドラムへと導く風路と、前記風路内に配設され衣類等から発生するリントを回収するフィルターと、前記放熱器の前記管路を流れる冷媒の温度を検知する温度検知手段と、前記温度検知手段により前記フィルターの目詰まり度合いを検出するフィルター目詰まり検出手段と、前記フィルターの目詰まりを報知する報知手段と、前記ヒートポンプ装置等を制御する制御手段とを備え、前記制御手段は、前記フィルター目詰まり検出手段により前記フィルターの目詰まりを検出すると、前記報知手段により前記フィルターの目詰まりを報知するようにした衣類乾燥機。
【請求項２】
制御手段は、フィルター目詰まり検出手段によりフィルターの目詰まりを検出すると圧縮機の回転数を低くし、再度フィルターの目詰まりの状態を温度検知手段の情報により判定し、乾燥運転を継続するか停止するかを判定するようにした請求項１記載の衣類乾燥機。
【請求項３】
制御手段は、フィルター目詰まり検出手段によりフィルターが目詰まりしていると判定した場合は、圧縮機の運転を停止するようにした請求項１または２記載の衣類乾燥機。
【発明の詳細な説明】
【技術分野】
【０００１】
本発明は、衣類等の乾燥をおこなう衣類乾燥機に関するものである。
【背景技術】
【０００２】
従来、この種の衣類乾燥機は、衣類を乾燥させる回転ドラム内に糸屑などを捕捉するリントフィルターを設け、このリントフィルターに糸屑が捕捉されて目詰まりした場合に、表示灯により目詰まりを報知することが考えられている（例えば、特許文献１参照）。
【０００３】
特許文献１に記載された衣類乾燥機は、図１０に示すように、衣類を乾燥させる回転ドラム５１と、この回転ドラム５１内へ温風を循環させる送風手段と、回転ドラム５１への熱交換風路に設けたＰＴＣヒータ５２と、熱交換風路に設けたフィルターと、回転ドラム５１を回転駆動するモータ５３と、回転ドラム５１、モータ５３の回転数を制御する制御手段５４と、ＰＴＣヒータ５２への熱交換風路に設けた温度検知手段５５と、ＰＴＣヒータ５２の電流を検知する電流検知手段５６と、報知手段５７を備え、制御手段５４は、モータ５３の回転数を一定に設定し、温度検知手段５５の出力信号と電流検知手段５６の出力信号とでフィルターの目詰まりを報知するようにしたものである。
【先行技術文献】
【特許文献】
【０００４】
【特許文献１】特開平６−１３４１９４号公報
【発明の概要】
【発明が解決しようとする課題】
【０００５】
しかしながら、前記従来の構成では、ＰＴＣヒータ５２の入力等によりフィルターの目詰まりを検知しているため、ヒータを設けていないヒートポンプを利用した衣類乾燥機では、フィルターの目詰まりを検知することが難しいという問題があった。
【０００６】
本発明は、前記従来の課題を解決するもので、ヒートポンプを用いた衣類乾燥機において、フィルターの目詰まりを的確に検知し、目詰まりによって機器に過負荷がかかることを防止した衣類乾燥機を提供することを目的とする。
【課題を解決するための手段】
【０００７】
前記従来の課題を解決するために、本発明の衣類乾燥機は、ヒートポンプ装置により加熱された温風を回転ドラムへ供給する送風ファンと、前記送風ファンにより送風される乾燥用空気を吸熱器から放熱器へと流して前記回転ドラムへと導く風路と、前記風路内に配設され衣類等から発生するリントを回収するフィルターと、前記放熱器の管路を流れる冷媒の温度を検知する温度検知手段と、前記温度検知手段により前記フィルターの目詰まり度合いを検出するフィルター目詰まり検出手段と、前記フィルターの目詰まりを報知する報知手段と、前記ヒートポンプ装置等を制御する制御手段とを備え、前記制御手段は、前記フィルター目詰まり検出手段により前記フィルターの目詰まりを検出すると、前記報知手段により前記フィルターの目詰まりを報知するようにしたものである。
【０００８】
これによって、フィルターが目詰まりしているか否かを的確に判定し、報知することができるとともに、機器の過負荷状態での運転を防止することができる。
【発明の効果】
【０００９】
本発明の衣類乾燥機は、ヒートポンプ装置を用いた衣類乾燥機において、フィルターの
目詰まりを的確に検知して報知することができるとともに、過負荷状態での運転を防止することができる。
【図面の簡単な説明】
【００１０】
【図１】本発明の実施の形態１における衣類乾燥機のシステム概念図
【図２】同衣類乾燥機のブロック図
【図３】同衣類乾燥機の要部断面図
【図４】同衣類乾燥機の要部断面図
【図５】同衣類乾燥機の電極の斜視図
【図６】同衣類乾燥機のフィルターが目詰まりしていない時の温度検知手段の出力特性および圧縮機の回転数の時間変化を示す図
【図７】同衣類乾燥機のフィルターが目詰まりしている時の温度検知手段の出力特性図および圧縮機の回転数の時間変化を示す図
【図８】同衣類乾燥機のフィルターが目詰まりしている時の温度検知手段の出力特性図および圧縮機の回転数の時間変化を示す図
【図９】同衣類乾燥機のフィルターが目詰まりしている時の温度検知手段の出力特性図および圧縮機の回転数の時間変化を示す図
【図１０】従来の衣類乾燥機のブロック図
【発明を実施するための形態】
【００１１】
第１の発明は、衣類等を収容し乾燥させる回転ドラムと、前記回転ドラムを回転駆動するモータと、圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、前記ヒートポンプ装置により加熱された温風を前記回転ドラムへ供給する送風ファンと、前記送風ファンにより送風される乾燥用空気を前記吸熱器から前記放熱器へと流して前記回転ドラムへと導く風路と、前記風路内に配設され衣類等から発生するリントを回収するフィルターと、前記放熱器の前記管路を流れる冷媒の温度を検知する温度検知手段と、前記温度検知手段により前記フィルターの目詰まり度合いを検出するフィルター目詰まり検出手段と、前記フィルターの目詰まりを報知する報知手段と、前記ヒートポンプ装置等を制御する制御手段とを備え、前記制御手段は、前記フィルター目詰まり検出手段により前記フィルターの目詰まりを検出すると、前記報知手段により前記フィルターの目詰まりを報知するようにしたことにより、フィルターが目詰まりしているか否かを的確に判定し、報知することができるとともに、フィルターの目詰まりによる過負荷状態での運転を防止することができる。
【００１２】
第２の発明は、特に、第１の発明の制御手段は、フィルター目詰まり検出手段によりフィルターの目詰まりを検出すると圧縮機の回転数を低くし、再度フィルターの目詰まりの状態を温度検知手段の情報により判定し、乾燥運転を継続するか停止するかを判定するようにしたことにより、フィルターが目詰まりしている状態でも機器に過負荷がかからない状態で運転することができる。
【００１３】
第３の発明は、特に、第１または第２の発明の制御手段は、フィルター目詰まり検出手段によりフィルターが目詰まりしていると判定した場合は、圧縮機の運転を停止するようにしたことにより、フィルターが目詰まりしている過負荷状態での運転を防止することができる。
【００１４】
以下、本発明の実施の形態について、図面を参照しながら説明する。また、この実施の形態によって本発明が限定されるものではない。
【００１５】
（実施の形態１）
図１は、本発明の第１の実施の形態における衣類乾燥機のシステム概念図で、ヒートポンプ装置の構成と乾燥用空気の流れを示している。図２は、同衣類乾燥機のブロック図、図３および図４は、同衣類乾燥機の要部断面図、図５は、同衣類乾燥機の電極の斜視図である。
【００１６】
図１〜図５において、衣類等の乾燥対象Ｃを入れて乾燥させる回転ドラム１は、衣類乾燥機の本体２内に回転自在に設け、モータ３の駆動によりベルト（図示せず）を介して回転させるようにしている。
【００１７】
ヒートポンプ装置４は、圧縮機５と、この圧縮機５で圧縮された冷媒の熱を放熱する放熱器６と、高圧の冷媒の圧力を減圧するための絞り弁や毛細管等からなる絞り手段７と、減圧されて低圧となった冷媒が周囲から熱を奪う吸熱器８とを冷媒が循環するように管路９で連結されており、冷媒は図１の矢印Ｂの方向に流れて循環し、ヒートポンプサイクルを実現する。温度検知手段１０は、放熱器６の管路９に設けて冷媒の温度を検知するようにしている。
【００１８】
乾燥用空気は、モータ３の駆動によりベルト（図示せず）を介して送風ファン１１を回転させて風路１２に送風し、ヒートポンプ装置４の吸熱器８から放熱器６を通過した後、衣類等を入れた乾燥室としての回転ドラム１へと導かれ、風路１２に配設された吸熱器８および放熱器６と、回転ドラム１との間を循環する。
【００１９】
吸熱器８では、回転ドラム１内の湿った衣類と接触して多湿となった乾燥用空気を冷却除湿し、放熱器６では、吸熱器８で除湿された乾いた低温の乾燥用空気を再加熱して回転ドラム１へと送り込む。フィルター１３は、回転ドラム１の後面の中央部に着脱可能に取り付けられ、乾燥用空気中の衣類から発生したリントやほこりを捕捉し回収する。
【００２０】
衣類の乾燥度を検出する電極１４は、乾燥運転中は、回転ドラム１内の衣類に接触するように回転ドラム１内に配設している。電極１４は、金属製の２個の導電部材１４ａと、この導電部材１４ａを電気的に絶縁する絶縁部材１４ｂとで構成され、導電部材１４ａに回転ドラム１内で撹拌されている衣類が接触することによって、導電部材１４ａ間の抵抗値を検知し、衣類の乾燥状態を検出するようにしている。
【００２１】
抵抗検知手段１５は、乾燥運転中に回転ドラム１内の衣類が電極１４の２個の導電部材１４ａ間に跨って接触した衣類の抵抗値を検出するもので、乾燥度検出手段１６は、抵抗検知手段１５によって検知した衣類の抵抗値が、所定の値よりも小さくなったことを検出した回数の時間変化の情報より衣類の乾燥度を検出する。
【００２２】
制御手段１７は、抵抗検知手段１５と乾燥度検出手段１６の情報が入力され、また、温度検知手段１０とフィルター目詰まり検出手段１８の情報が入力され、モータ３と、ヒートポンプ装置４の圧縮機５および送風ファン１１、報知手段１９等を制御する。
【００２３】
乾燥度検出手段１６は、抵抗検知手段１５により検知した衣類の抵抗値によって乾燥度を検出し、フィルター目詰まり検出手段１８は、温度検知手段１０により検知した温度情報によってフィルター１３の目詰まり度合いを検出する。フィルター目詰まり検出手段１８によりフィルター１３の目詰まりを検出すると、報知手段１９により報知する。
【００２４】
制御手段１７は、乾燥度検出手段１６と温度検知手段１０の情報により、ヒートポンプ装置４およびモータ３を制御し、圧縮機５の回転数Ｒは、制御手段１７により一定速または温度検知手段１０の情報により制御している。
【００２５】
以上のように構成された衣類乾燥機について、以下その動作、作用を説明する。まず、本体２の前面に開閉自在に設けられた扉２０を開いて乾燥対象Ｃの衣類を回転ドラム１内に投入し、乾燥運転を開始すると、モータ３が駆動し、回転ドラム１および送風ファン１１が回転して風路１２に乾燥用空気の流れ（矢印Ａ）が生じる。乾燥用空気は、回転ドラム１内の衣類から水分を奪って多湿となった後、風路１２内を通ってヒートポンプ装置４３の吸熱器８へ導かれる。
【００２６】
吸熱器８で低温の冷媒に熱を奪われた乾燥用空気は、冷却除湿されて乾いた低温の空気となって放熱器６へ運ばれる。吸熱器８で吸熱された熱量に、圧縮機５からの熱量が加わって高温となった冷媒からの放熱で加熱され、吹き出し口２１から再び回転ドラム１内へと循環される。以上の繰り返しで衣類の乾燥が進行する。
【００２７】
図６は、フィルター１３が目詰まりしていない時の、温度検知手段１０の出力特性と圧縮機５の回転数の時間変化を示している。図６に示すように、フィルター１３が目詰まりしていない時は、圧縮機５の回転数が一定（Ｒ１）で回転しているとき、温度検知手段１０の出力特性は、温度がｔｈ１からｔｈ２まで上昇するのに、Ｔ３（ｔ１からｔ２）の時間がかかっている。
【００２８】
図７は、フィルター１３が目詰まりしている時の、温度検知手段１０の出力特性と圧縮機５の回転数の時間変化を示している。図７に示すように、フィルター１３が目詰まりしている時は、圧縮機５の回転数が一定（Ｒ１）で回転しているとき、温度検知手段１０の出力特性は、温度がｔｈ１からｔｈ２まで上昇するのに、Ｔ６（ｔ４からｔ５）の時間がかかっている。
【００２９】
フィルター１３が目詰まりしていると送風ファン１１からの風量が減少し、冷媒の温度上昇が早くなる。そこで、フィルター目詰まり検出手段１８はＴ３とＴ６を比較して、Ｔ３よりＴ６が所定時間以上短い時に目詰まりしていると判定する。
【００３０】
制御手段１７は、フィルター目詰まり検出手段１８がフィルター１３が目詰まりしていると判定したときは、目詰まりしていることを報知手段１９により報知するようにしている。
【００３１】
図８は、フィルター１３が目詰まりしている時の、温度検知手段１０の出力特性と圧縮機５の回転数の時間変化を示している。図８に示すように、フィルター１３が目詰まりしていると判定した時は、圧縮機５の回転数をＲ１からＲ２へ落して一定で回転するようにしている。そして、回転数Ｒ２の間の温度検知手段１０の情報により、さらにフィルター１３の目詰まり度合いを検知するようにしている。
【００３２】
つまり、Ｔ９（ｔ７からｔ８）の時間に温度検知手段１０の出力特性が、温度がｔｈ４からｔｈ５まで上昇した場合は運転を停止し、上昇しなかった場合は運転を継続するように判定する。
【００３３】
図９は、フィルター１３が目詰まりしている時の、温度検知手段１０の出力特性と圧縮機５の回転数の時間変化を示している。図９に示すように、時間Ｔ６の期間に温度検知手段１０の出力特性が、温度がｔｈ１からｔｈ３まで上昇した場合は、圧縮機５の回転を停止する。
【００３４】
以上のように、本発明の衣類乾燥機は、ヒートポンプ装置４により加熱された温風を回転ドラム１へ供給する送風ファン１１と、送風ファン１１により送風される乾燥用空気を吸熱器８から放熱器６へと流して回転ドラム１へと導く風路１２と、風路１２内に配設さ
れ衣類等から発生するリントを回収するフィルター１３と、放熱器６の管路９を流れる冷媒の温度を検知する温度検知手段１０と、温度検知手段１０によりフィルター１３の目詰まり度合いを検出するフィルター目詰まり検出手段１８と、フィルター１３の目詰まりを報知する報知手段１９と、ヒートポンプ装置４等を制御する制御手段１７とを備え、制御手段１７は、フィルター目詰まり検出手段１８によりフィルター１３の目詰まりを検出すると、報知手段１９によりフィルター１３の目詰まりを報知するようにしたものであり、ヒートポンプ装置４を用いて衣類の乾燥をおこなう場合でも、フィルター１３の目詰まりを的確に検知することが可能になるとともに、報知手段１９によりフィルター１３の目詰まりを報知することができる。また、フィルター１３が過度の目詰まり状態であるときの運転を防止して、機器に過負荷がかかることを防止することができる。
【産業上の利用可能性】
【００３５】
以上のように、本発明にかかる衣類乾燥機は、ヒートポンプ装置を用いた衣類乾燥機のフィルターの目詰まりを的確に検知して報知することができるとともに、過負荷状態での運転を防止することができるので、衣類乾燥機として有用である。
【符号の説明】
【００３６】
１  回転ドラム
３  モータ
４  ヒートポンプ装置
５  圧縮機
６  放熱器
７  絞り手段
８  吸熱器
９  管路
１０  温度検知手段
１１  送風ファン
１２  風路
１３  フィルター
１７  制御手段
１８  フィルター目詰まり検出手段
１９  報知手段
【図１】
2013085680.tif 000003
【図２】
2013085680.tif 000004
【図３】
2013085680.tif 000005
【図４】
2013085680.tif 000006
【図５】
2013085680.tif 000007
【図６】
2013085680.tif 000008
【図７】
2013085680.tif 000009
【図８】
2013085680.tif 000010
【図９】
2013085680.tif 000011
【図１０】
2013085680.tif 000012